(57)【特許請求の範囲】
【請求項１】
測定光束を被検眼角膜に投影する投影手段と、前記被検眼角膜からの前記測定光束の反射光を受光する受光センサと、前記測定光束の前記被検眼角膜からの反射光を受光センサに案内する角膜変形検出光学系と、前記被検眼角膜に空気パルスを吹き付けて前記被検眼角膜を変形させる気流吹付け手段と、この気流吹付け手段により前記被検眼角膜を変形させたときの前記受光センサの出力変化である光量変化曲線に基づき前記被検眼角膜の所定変形点を求めて眼圧を算出する算出手段とを備え、
前記算出手段は、前記光量変化曲線のうち所定の光量検出レベル以上の部分の光量を積算して反射光量対応重心点を求め、この求めた前記反射光量対応重心点に対応する前記空気パルスの圧力から前記被検眼角膜の眼圧値を求めると共に、前記被検眼角膜の眼圧値が所定値を越える場合には、前記光量変化曲線の最大光量が得られた点を前記被検眼角膜の所定変形点として演算することを特徴とする非接触眼圧計。
【発明の詳細な説明】
【０００１】
【発明の属する技術分野】
本発明は、気流が吹き付けられたときの被検眼角膜の変形状態を光学的に検出することにより、被検眼の眼圧を高い精度で測定できるようにした非接触式眼圧計に関する。
【０００２】
【従来の技術】
従来から、非接触式眼圧計には、被検眼の角膜に気流を吹き付けることにより角膜を変形させるための気流吹き付け手段と、その角膜に光束を投影して角膜変形に伴う反射光束の光量変化を検出することにより角膜の変形を検出する角膜変形検出光学系とを備えたものが知られている。
【０００３】
この従来の非接触式眼圧計は、その気流吹き付け手段の一部を構成するロータリソレノイドを作動させてピストンを駆動すると、その気流吹き付け手段のノズルから気流が角膜に向けて放出される。この際、角膜は気流の圧力の変化に伴って図１に示すように変形される。
【０００４】
ところで、図１に示すように、角膜Ｃは、気流の放出開始直後はほとんど変形されない（期間ｔ１を参照）。しかし、角膜Ｃは、この気流の放出開始から所定の時間が経過して気流の放出圧力が増加すると、実線で示すように変形され（期間ｔ２参照）、気流の放出圧力が更に増加すると偏平Ｃ´に圧平される（時刻ｔ０参照）。
【０００５】
そして、気流の放出圧力が更に増加すると、期間ｔ３，ｔ４で示すように角膜Ｃが凹むことになる。この際、角膜Ｃからの反射光束の光量は、その角膜Ｃが偏平に向かって変形するに伴って増加し、偏平状態において理論的に最大となり、偏平状態から凹に変形するに伴って減少する。従って、この様な角膜の変形に際しては、符号Ｄで示すような光量変化曲線を描くことになる。
【０００６】
一方、気流の圧力は時間の経過に伴って図２に示すように圧力変化曲線Ｐとして表示される。角膜Ｃが偏平状態のときの気流吹き付け手段内の圧力値と被検眼の眼圧値との間には相関関係があるので、光量変化曲線Ｄがピーク値Ｄ´を示すときの圧力変化曲線Ｐの圧力値Ｐ０を求めて、この圧力値Ｐ０から眼圧値ＩＯＰが演算回路を用いて演算することができる。
【０００７】
【発明が解決しようとする課題】
しかしながら、種々の外因によって光量変化曲線Ｄに基づいて角膜が偏平状態になる時点を特定し難いこともある。例えば、図４に示すように涙、まつ毛等のために光量変化局線に細かい乱れが生じることもある。この場合にはピーク位置が特定できず、角膜が偏平状態となる時点を正確に特定できない。また、図３に示すように角膜の弾性の大きさの違いにより光量が緩やかに増加、減少するときもある。この場合にもピーク位置が特定し難いことになる。そこで、従来の非接触式眼圧計では、光量変化曲線の光量増加側と減少側とにおいて同一反射光量レベルとなる反射光量対応点の位置をそれぞれ求めると共に、この各反射光量対応点の間の前記光量変化曲線の反射光量レベルを積算することにより、眼圧値を測定するための反射光量対応重心点Ｚを演算し、この反射光量対応重心点Ｚを真のピーク位置として眼圧値ＩＯＰを測定するようにしたものが知られている。（例えば、特許文献１参照）
しかし、このような重心点を算出する方法は、比較的出現する割合の高い光量変化曲線のパターンに適した角膜の偏平時点の算出方法である。そのため、比較的出現する割合の低い特殊なパターン、例えば眼圧の極端に高い場合のパターンが出現した場合には角膜が偏平となる時点を誤って算出する場合があり、得られた眼圧値は信頼性に欠けるという問題があった。
【０００８】
即ち、高眼圧になると、角膜が気流に吹き付けられて偏平となるまでより、偏平から更に凹む状態となるまでがより多くの気流を吹き付けなければならない。そのため、特開平５−５６９３０号公報のような重心点を算出する方法では、高眼圧になるほど、真の眼圧値より高い値を表示するという問題がある。
【０００９】
図６は、高眼圧眼の光量変化曲線Ｄを示したものである。高眼圧眼でない場合には、破線で示される曲線からＸ´Ｙ´´が求められるが、高眼圧の場合には実線のようになるので、Ｘ´Ｙ´から反射光量対応重心点を算出していくため、真の眼圧より高く表示され、好ましくない。
【００１０】
また、従来、非接触式眼圧計では、得られた光量変化曲線Ｄをプリンター等により出力し、得られた眼圧値の信頼性を判断するのに役立てるようにした例が知られている。
【００１１】
しかし、曲線を表示するのみでは曲線のどの点を角膜の偏平時点と判断して眼圧値を算出したのか分からない。従って、特殊なパターンが得られた場合には得られた眼圧値が正確な値でであるのか分からず、信頼性に欠けるという問題があった。
【００１２】
そこで、本発明はこれらの問題を解決し、算出される眼圧値の信頼性を向上させることを目的とする。
【特許文献１】
特開平５−５６９３０号公報（図５参照）
【００１３】
【課題を解決するための手段】
この目的を達成するため、請求項１の発明は、測定光束を被検眼角膜に投影する投影手段と、前記被検眼角膜からの前記測定光束の反射光を受光する受光センサと、前記測定光束の前記被検眼角膜からの反射光を受光センサに案内する角膜変形検出光学系と、前記被検眼角膜に空気パルスを吹き付けて前記被検眼角膜を変形させる気流吹付け手段と、この気流吹付け手段により前記被検眼角膜を変形させたときの前記受光センサの出力変化である光量変化曲線に基づき前記被検眼角膜の所定変形点を求めて眼圧を算出する算出手段とを備え、前記算出手段は、前記光量変化曲線のうち所定の光量検出レベル以上の部分の光量を積算して反射光量対応重心点を求め、この求めた前記反射光量対応重心点に対応する前記空気パルスの圧力から前記被検眼角膜の眼圧値を求めると共に、前記被検眼角膜の眼圧値が所定値を越える場合には、前記光量変化曲線の最大光量が得られた点を前記被検眼角膜の所定変形点として演算する非接触眼圧計としたことを特徴とする。
【００１４】
【発明の実施の形態】
次に、本発明の眼科器械の発明の実施の形態を非接触式眼圧計に適用し、図面に基づいて説明する。
【００１５】
図７（Ａ）及び図８において、１０は固視用の注視目標を被検眼Ｅに投影する固視標投影光学系、２０は被検眼Ｅを含めて前眼部像を観察すると共に光軸Ｏと被検眼Ｅの視軸Ｏ’との整合検出（アライメント検出）が可能な前眼部観察光学系、３０は被検眼Ｅにアライメント光束を投影するアライメント光投影光学系、４０は被検眼Ｅに対する作動距離を検出するアライメント光結像光学系、５０は角膜Ｃの変形を光学的に検出する角膜変形検出光学系である。
【００１６】
固視標投影光学系１０は、可視光を出射するＬＥＤ１１、ピンホール１２、可視光を透過し且つ近赤外光を反射する特性を有する波長分割フィルター１３、コリメータレンズ１４、ハーフミラー１５、チャンバー窓ガラス１６、気流吹付用の噴射ノズル１７（気流吹付手段）を有する。チャンバー窓ガラス１６は、噴射ノズル１７に空気パルスを供給するためのシリンダ部材等の供給装置を包囲する枠体となっている。尚、このシリンダ部材は、図示しないロータリソレノイドで駆動されるピストンを有していて、このピストンがロータリーソレノイドで作動させられると、圧縮空気を噴射ノズル１７に供給するようになっている。この構造は周知のものを採用するので、具体的な図示は省略する。
【００１７】
ＬＥＤ１１から出射された注視目標となる可視光は、ピンホール１２を通過して波長分割フィルター１３を透過し、コリメータレンズ１４により平行光束とされてハーフミラー１５に反射された後、チャンバー窓ガラス１６を透過し、噴射ノズル１７の内部を通って被検眼Ｅの角膜Ｃに像が提示される。
【００１８】
前眼部観察光学系２０は、前眼部観察用として左右から被検眼Ｅをダイレクトに照明する赤外光を出射する複数のＬＥＤ２１、噴射ノズル１７の先端に固定のカバーガラス２２、噴射ノズル１７の一端を支持する受けガラス２３、チャンバー窓ガラス１６、ハーフミラー１５、対物レンズ２４、ハーフミラー２５、結像レンズ２６、ＣＣＤカメラ２７を有する。
【００１９】
被検眼Ｅにて反射されたＬＥＤ２１からの赤外反射光は、ガラス２２，２３及びチャンバー窓ガラス１６、ハーフミラー１５を透過して対物レンズ２４により平行光束とされ、ハーフミラー２５を透過した後、結像レンズ２６に集光されてＣＣＤカメラ２７に結像される。
【００２０】
ＣＣＤカメラ２７に結像された赤外反射光束は、画像処理回路Ｇに入力されて信号化され、図７（Ｂ）に示すように、モニタテレビＭ（画像表示手段）の画面２８に前眼部像Ｅ’が表示される。また、画面２８には、アライメントエリア２８ａが電気的に合成表示される。
【００２１】
アライメント光投影光学系３０は、アライメント操作用と眼圧検出用とに兼用されるＬＥＤ３１、コンデンサーレンズ３２，３３、開口絞り３４、角膜Ｃへ投影される像を形成するためのピンホール３５、波長分割フィルター１３、コリメータレンズ１４、ハーフミラー１５、チャンバー窓ガラス１６、噴射ノズル１７を有する。ピンホール３５はコリメータレンズ１４の後側焦点位置に配設されている。
【００２２】
ＬＥＤ３１から出射された近赤外光は、コンデンサーレンズ３２，３３、開口絞り３４、ピンホール３５を通過して波長分割フィルター１３に反射され、コリメータレンズ１４により平行光束とされてハーフミラー１５に反射された後、チャンバー窓ガラス１６を透過し、噴射ノズル１７の内部を通って被検眼Ｅの角膜Ｃに投影され、この角膜Ｃで反射される。
【００２３】
また、角膜Ｃで反射された角膜反射光束は、前眼部観察光学系２０により、ガラス２２，２３，１６並びにハーフミラー１５を透過して対物レンズ２４により平行光束とされ、その一部はハーフミラー２５を透過した後、結像レンズ２６によって集光されてＣＣＤカメラ２７に結像されて画面２８に視標像２８ｂが合成表示される。
【００２４】
検者は、視標像２８ｂがアライメントエリア２８ａに入るように装置本体を３次元的に移動させる。アライメントがずれている場合には、視標像２８ｂは画面２８内で上下左右方向に移動し、作動距離がずれている場合には視標像２８ｂが大きくなってアライメントエリア２８ａからはみ出る。これにより、検者はアライメントと概略の作動距離合わせを行うことができる。
【００２５】
アライメント光結像光学系４０は、カバーガラス２２からハーフミラー２５に至る光学部品を共用すると共に、結像レンズ４１、反射ミラー４２、ハーフミラー４３、絞り４４，４５、受光センサ４６，４７を有する。
【００２６】
角膜Ｃで反射されたアライメント反射光束は、その一部がハーフミラー２５に反射されて結像レンズ４１に導かれ、結像レンズ４１で集光されつつ反射ミラー４２に反射されてハーフミラー４３によりその一部が透過しその他の一部が反射される。ハーフミラー４３を透過したアライメント反射光束は絞り４４を経て受光センサ４６に結像される。また、ハーフミラー４３に反射されたアライメント反射光束は絞り４５を経て受光センサ４７に結像される。
【００２７】
受光センサ４６，４７は、角膜Ｃが適正作動距離に有るときにアライメント反射光束が結像する集光位置Ｐの前後に配設されている。なお、本実施例では、絞り４４，４５並びに受光センサ４６，４７は各々同じものが使用できるように設計されている。また、受光センサ４６，４７は、各々に入射されるアライメント反射光束の光量比をもとに作動距離を図１６に示した中央処理装置を含む演算制御回路（算出手段）６０に算出させる。
【００２８】
例えば、受光センサ４６に入射する光量をαレベル、受光センサ４７に入射する光量をβレベルとしたとき、
γ＝（β−α）／（β＋α）
で光量比γを演算することにより作動距離を算出することができ、α＝βでγ＝０のときに適正作動距離にあると判断する。また、γ＞０で被検眼Ｅと装置本体とが近い状態にあり、γ＜０で被検眼Ｅと装置本体とが遠い状態にある。この場合、光量比γにより検出を行っているため、角膜Ｃの反射率の影響を受けずに作動距離の検出を行うことができる。
【００２９】
一方、画面２８には、受光センサ４６，４７の受光状態に基づいて作動距離認識バー２８ｃが合成表示され、この作動距離認識バー２８ｃの長さを可変させることにより検者に作動距離を認識させる。
【００３０】
例えば、画面２８に、アライメントエリア２８ａと同様にして作動距離エリア２８ｄを合成表示させ、作動距離エリア２８ｄの幅を適正作動距離とし、適正作動距離内にあるときには作動距離認識バー２８ｃが作動距離エリア２８ｄ内に位置する長さとなり、適正作動距離外にあるときには、その距離に応じて作動距離認識バー２８ｃが作動距離エリア２８ｄからはみ出す長さとなる。さらに、装置本体が被検眼Ｅに近付き過ぎた場合には、画面２８に“ＴＯＯ  ＣＬＯＳＥ”等の警告表示を行って検者に認識させる。
【００３１】
他方、受光センサ４６，４７によるアライメント検出は、各センサ４６，４７の光量が共に所定光量レベル以上であることを確認する。この場合、絞り４４，４５上でのアライメントによる像の動きによる光量変化は、角膜Ｃの反射率の変化による影響よりかなり大きいため、角膜Ｃの反射率の影響は小さくてすみ、測定精度には影響をおよぼさない。さらにアライメント結像光学系４０が像側にテレセントリックである場合には、絞り４４，４５上でのアライメントによる像の動きが同一になるため、よりアライメント検出を正確に行うことができる。
【００３２】
角膜変形検出光学系５０は、カバーガラス２２からハーフミラー２５までの各光学部品と、反射ミラー５１、絞り５２、受光センサ５３を有する。
【００３３】
受光センサ４６，４７によりアライメント並びに作動距離の完了が検出されると、図示を略す空気噴射駆動装置へ噴射ＯＫ信号が出力され、この噴射ＯＫ信号の出力を受けてガラス２３，１６の間（チャンバー）に空気が噴出されて噴射ノズル１７内を通って噴射された空気によって角膜Ｃが変形される。また、同時にＬＥＤ３１から角膜Ｃに向けて検出光が出射される。
【００３４】
この際の検出光は、図８に示すように、アライメント検出時と同様に、コンデンサーレンズ３２，３３、開口絞り３４、ピンホール３５、波長分割フィルター１３、コリメータレンズ１４、ハーフミラー１５、チャンバー窓ガラス１６、噴射ノズル１７を経て被検眼Ｅの角膜Ｃに投影され、この角膜Ｃで反射される。
【００３５】
そして、角膜Ｃで反射された検出反射光は、噴射ノズル１７からハーフミラー２５を経て、このハーフミラー２５に反射され、反射ミラー５１に反射されて絞り５２を通過して受光センサ５３に結像される。
【００３６】
受光センサ５３では、角膜Ｃの変形開始と共に受光センサ５３の受光量が増加し、角膜Ｃが所定偏平状態に達した時に最大の光量が受光され、さらに角膜Ｃが空気により凹むに従い、その受光量が減少していき、図１に示される光量変化曲線が得られる。
【００３７】
光量変化曲線の最大光量時点を所定偏平時とし、その時の空気の圧力又は圧力と相関関係をもつ物理量−例えば空気が噴射ノズル１７から噴射し始めてからの時間等−から公知の手順に従い眼圧が求められる。
【００３８】
眼圧が求められると、画像処理回路Ｇにより図７（Ｃ）に示されるように眼圧値とその光量変化曲線が画像表示手段Ｍに画面２８に表示される。検者はこの光量変化曲線を確認することで得られた眼圧値が信頼性が高いか否かを判断する。例えば、図９（Ａ）の様にピークａ１が一つの光量変化曲線Ｄであれば信頼性が高く、（Ｂ）のように複数のピークａ１，ａ２，ａ３等がある光量変化曲線Ｄであれば信頼性が低いと判断でき、この場合には再度測定を行うこととなる。
【００３９】
図１０は装置の全体図を示していてプリンター１０１が装置の架台部に組み込まれている。図１１はプリンター１０１により測定結果をプリンター用紙１０１ａに出力した結果であり、このプリンター用紙１０１ａには眼圧値１０２と光量変化曲線Ｄが患者のＩＤと共に表示されている。しかし、以上のように光量変化曲線Ｄを表示するのであると算出された眼圧値が正しくても信頼性が低いと判断してしまうことがあり、次の例のように角膜の所定偏平時点を併せて表示するのが望ましい。
【００４０】
図１２は、画面２８に光量変化曲線Ｄと共に圧力変化曲線７１を表示し、さらに角膜が所定偏平状態になったと算出した点を破線７０（以下、この破線は、眼圧値を求める位置としての所定変形点Ｄｍを光量変化曲線Ｄ上で求めるためのマークとして用いる）で光量変化曲線Ｄに対応づけて表示した例である。
【００４１】
図１３は、図１２の破線７０を移動したようすを表している。検者が図１０に示されるパネル１０２のスイッチ（左右方向のカーソルキー等）１０３，１０４を操作することにより、このスイッチ操作信号が演算制御回路６０に入力される。この際、演算制御回路６０は、スイッチ操作に応じて図１２に示された様な破線７０を時間軸方向（時間ｔ方向）に移動制御する。この際、この破線７０の移動は、図示を略す演算制御回路６０によって記憶されている圧力変化曲線及び光量変化曲線に対応づけて行われる。しかも、演算制御回路６０は、破線７０の時間軸方向への移動ごとに眼圧値の算出を逐次やり直し、画面２８に表示された眼圧値を変更する。
【００４２】
したがって、検者は画面２８に表示された光量変化曲線Ｄの角膜が所定偏平状態となっている位置に破線７０を移動することにより、正しい眼圧値が求められる。
【００４３】
尚、圧力変化曲線Ｄは表示する必要はないが、空気パルス発生装置の異常が発見できる利点があり、空気パルス発生装置の圧力を直接測定しているタイプの眼圧計では、表示する方が望ましい。
【００４４】
ところで、眼圧測定のための操作は上述したようにして行われるが、正常眼圧の場合と高眼圧の場合の眼圧値を次に示すようにして求めることができる。
【００４５】
図１４の（Ａ）は正常眼圧（例えば１８ｍｍＨｇ）の人眼を測定したときの光量変化曲線Ｄを示し、図１４の（Ｂ）は高眼圧（例えば３５ｍｍＨｇ）の人眼を測定したときの光量変化曲線Ｄ´の説明を簡単にするため、同一グラフ上に表したものである。
【００４６】
図１４の（Ａ）におけるＤｍは光量変化曲線の最大光量が得られた点で、これに対応する空気パルスの圧力Ｐｌをもとに公知の技術により（第２の演算方法により）ＩＯＰ１が算出される。同時に光量変化曲線Ｄの光量検出レベルＬを横切る反射光量対応点Ｘ及びＹとの間の光量変化曲線の光量検出レベルＬを積算して、反射光量対応重心点Ｚの位置を算出し、これに対応する空気パルスの圧力Ｐ２をもとに公知の技術により（第１の演算方により）ＩＯＰ２が算出される。
【００４７】
被検眼のまつげ・涙・固視微動等によりＤｍの位置は、角膜の所定の偏平時点からずれる可能性があり、正常眼圧においては、ＩＯＰ２を眼圧値として画面２８に表示する。
【００４８】
同様に高眼圧の場合（図１４（Ｂ））も、ＤｍからＰ３を求め公知の技術により、ＩＯＰ１´が算出され、Ｚ´からＰ４を求め公知の技術によりＩＯＰ２´が算出される。ここでＩＯＰ２´＞３０ｍｍＨｇの場合は、ＩＯＰ１´の値を眼圧値として画面２８に表示する。これは、高眼圧の場合は、角膜が所定の偏平となるまでより、偏平状態からさらに凹むときの方がより多くの空気が必要となるため、ＩＯＰ２´の値は、真の眼圧値よりもかなり高い値となってしまうためである。Ｄｍ´の位置は、Ｄｍと同様に被検眼の状態によって角膜の所定の偏平時点からずれることがあるが、高眼圧の場合には１〜２ｍｍＨｇの誤差は臨床上問題とならない。
【００４９】
尚、ＩＯＰ１を採用するかＩＯＰ２を採用するかは、装置の測定レンジ切換スイッチ１０５（図１０（ｂ））の切換に応じ選択させても良いし、画面２８に図１４のグラフに相当するものを表示させ、パネル１０２のスイッチ１０６，１０７等を利用して検者にＨ（高眼圧），Ｌ（低眼圧）のいずれかを選択させるようにしても良い。尚、図１０中、Ｊはジョイステックレバーである。
【００５０】
図１５は、第２の実施例で求めた眼圧測定値のプリントアウトのフォーマットを示したものである。（Ａ）は正常眼圧で実線で示されるＺ点から求められたＩＯＰ２が眼圧値として表示され、破線７０で示されるＤｍから求められたＩＯＰ１が（）付きで表示されている。又、矢印を実線に付記してＺ点から求めたＩＯＰ２が（）なしの測定値１８ｍｍＨｇであることを知らしめている。同様に（Ｂ）は高眼圧眼の測定結果で、破線で示されるＤｍ´から求めたＩＯＰ１´が（）なしの測定値３３ｍｍＨｇであることが分かるようになっている。
【００５１】
【発明の効果】
以上説明したように請求項１の発明は、測定光束を被検眼角膜に投影する投影手段と、前記被検眼角膜からの前記測定光束の反射光を受光する受光センサと、前記測定光束の前記被検眼角膜からの反射光を受光センサに案内する角膜変形検出光学系と、前記被検眼角膜に空気パルスを吹き付けて前記被検眼角膜を変形させる気流吹付け手段と、この気流吹付け手段により前記被検眼角膜を変形させたときの前記受光センサの出力変化である光量変化曲線に基づき前記被検眼角膜の所定変形点を求めて眼圧を算出する算出手段とを備え、前記算出手段は、前記光量変化曲線のうち所定の光量検出レベル以上の部分の光量を積算して反射光量対応重心点を求め、この求めた前記反射光量対応重心点に対応する前記空気パルスの圧力から前記被検眼角膜の眼圧値を求めると共に、前記被検眼角膜の眼圧値が所定値を越える場合には、前記光量変化曲線の最大光量が得られた点を前記被検眼角膜の所定変形点として演算する構成としたので、所定変形点を変更可能にして、反射光量変化曲線から角膜の所定偏平時を求める演算方法を眼圧値に応じて変えることができ、実用上より精度の高い測定値を得ることができた。
【図面の簡単な説明】
【図１】気流吹き付け時の被検眼角膜からの反射光の光量変化が急峻な場合を示す説明図である。
【図２】気流吹き付け時の被検眼角膜からの反射光の光量変化と圧力変化との関係を示す説明図である。
【図３】気流吹き付け時の被検眼角膜からの反射光の光量変化が緩やかな場合を示す説明図である。
【図４】気流吹き付け時の被検眼角膜からの反射光の光量変化のピークが複数ある場合を示す説明図である。
【図５】気流吹き付け時の被検眼角膜からの反射光の光量変化と圧力変化とから眼圧値を求めるための関係を示す説明図である。
【図６】気流吹き付け時の高眼圧の被検眼角膜からの反射光の光量変化がを示す説明図である。
【図７】（ａ）はこの発明にかかる非接触式眼圧計の光学系を示す説明図、（ｂ）は（ａ）の光学系により撮像された被検眼前眼部像をモニター画面映し出したときの説明図、（ｃ）は（ａ）の光学系を備える非接触式眼圧計により気流を被検眼角膜に吹き付けた時の被検眼角膜からの反射光の光量変化を示す説明図である。
【図８】図７に示した非接触式眼圧計の作用説明図である。
【図９】（Ａ），（Ｂ）は光量変化曲線の説明図である。
【図１０】（ａ）は図７に示した光学系を備える非接触式眼圧計の説明図、（ｂ）は（ａ）の要部拡大説明図である。
【図１１】図７に示した非接触式眼圧計による測定結果のプリント例を示す説明図である。
【図１２】この発明にかかるモニター画面への表示例を示す説明図である。
【図１３】図１２に示した所定変形点を示すマーク（破線）を移動させたときの説明図である。
【図１４】正常眼圧の人と高眼圧の人の光量変化を示す説明図である。
【図１５】（Ａ）は正常眼圧の人の光量曲線から眼圧値を求める例を示し、（Ｂ）は高眼圧の人の光量変化曲線から眼圧値を求める例を示す説明図である。
【図１６】この発明にかかる非接触式眼圧計の制御回路図である。
【符号の説明】
１１…ＬＥＤ（投影手段）
１７…噴射ノズル（気流吹付手段）
５３…受光センサ（受光光学系）
Ｄ，Ｄ´…光量変化曲線
Ｃ…被検眼角膜
Ｄｍ，Ｄｍ´…所定変形点
【図１】
0003577071.tif 000002
【図２】
0003577071.tif 000003
【図３】
0003577071.tif 000004
【図４】
0003577071.tif 000005
【図５】
0003577071.tif 000006
【図６】
0003577071.tif 000007
【図７】
0003577071.tif 000008
【図８】
0003577071.tif 000009
【図９】
0003577071.tif 000010
【図１０】
0003577071.tif 000011
【図１１】
0003577071.tif 000012
【図１２】
0003577071.tif 000013
【図１３】
0003577071.tif 000014
【図１４】
0003577071.tif 000015
【図１５】
0003577071.tif 000016
【図１６】
0003577071.tif 000017